(57)【要約】      （修正有）【課題】幅が可変であり、簡単な構造で分解可能なため梱包サイズがコンパクトになり、組立が容易な分解組立可能型パーティションを提供する。【解決手段】少なくとも二つ以上の分割支柱部材１２ａ，１２ｂ，１４ａ，１４ｂに分割可能であり、前記分割支柱部材を連結することで支柱部材となる一対の連結支柱部材１６，１８と、前記一対の連結支柱部材の上端部及び下端部にそれぞれ横架され、分割可能とされてなる一対の横架フレーム部材２０，２２と、前記連結支柱部材の下端部に直交して着脱自在に設けられた台座部材２４，２６と、前記一対の横架フレーム部材に着脱自在且つ摺動自在に掛け渡されるカーテン部材２８とにより構成する。【選択図】図１
0003168150.tif 000002
【実用新案登録請求の範囲】
【請求項１】
少なくとも二つ以上の分割支柱部材に分割可能であり、前記分割支柱部材を連結することで支柱部材となる一対の連結支柱部材と、
前記一対の連結支柱部材の上端部及び下端部にそれぞれ横架され、分割可能とされてなる一対の横架フレーム部材と、
前記連結支柱部材の下端部に直交して着脱自在に設けられた台座部材と、
前記一対の横架フレーム部材に着脱自在且つ摺動自在に掛け渡されるカーテン部材と、
を含み、
前記連結支柱部材が、連結される分割支柱部材の一方の端部に雌接合部、連結される分割支柱部材の他方の端部に径小とした雄接合部、を設け、前記雄接合部を雌接合部に挿入することにより前記連結支柱部材に重複部分を生じさせ、前記重複部分をストッパ部材で係止することで連結せしめられ、
前記横架フレーム部材が、先端が開口された径大パイプとその開口部に一端が摺動可能に嵌入せしめられる径小パイプとから構成されてなり、前記径大パイプの開口部近傍内周面にパイプリングを取り付け、嵌入される前記径小パイプの一端部分を前記径小パイプの後端部分よりも径小な径小段部とし、前記径小段部の複数箇所にパイプスペーサーを設け、前記径大パイプに前記径小パイプの一端部を嵌入せしめてなることを特徴とする分解組立可能型パーティション。
【請求項２】
前記分割支柱部材の雌接合部及び雄接合部に螺子孔を設け、重複部分を螺子止めしてなることを特徴とする請求項１記載の分解組立可能型パーティション。
【請求項３】
前記径大パイプの周面に螺子孔を設け、前記螺子孔に螺子止め部材を螺入せしめることで、前記径小パイプの妄動を防ぐようにしたことを特徴とする請求項１又は２記載の分解組立可能型パーティション。
【請求項４】
前記台座部材の下面に着脱自在に取り付けられたキャスター部材をさらに有することを特徴とする請求項１〜３いずれか１項記載の分解組立可能型パーティション。
【考案の詳細な説明】
【技術分野】
【０００１】
本考案は、分解及び組立が可能な分解組立可能型パーティションに関する。
【背景技術】
【０００２】
従来、オフィス、家庭、病院や店舗などといった場所で、スチールパイプの骨組みに、布製のカーテンを掛架したパーティション（間仕切り）が広く使われている。
【０００３】
このような従来のパーティションは、その幅を変えることができず、また、梱包するのにスペースをとるという問題があった。
【０００４】
幅を可変としたパーティションとしては、特許文献１に示すパーティションがある。
【０００５】
しかしながら、特許文献１に示すパーティションではパンタグラフ機構を採用しているため、重量が増えるという問題があった。また、かかる機構では構造も複雑となるという問題があった。
【先行技術文献】
【特許文献】
【０００６】
【特許文献１】特開平５−２３９８７２号公報
【考案の概要】
【考案が解決しようとする課題】
【０００７】
本考案は、上記した従来技術の問題点に鑑みてなされたものであり、幅が可変であり、簡単な構造で分解可能なため梱包サイズがコンパクトになり、組立が容易な分解組立可能型パーティションを提供することを目的とする。
【課題を解決するための手段】
【０００８】
上記課題を解決するために、本考案の分解組立可能型パーティションは、少なくとも二つ以上の分割支柱部材に分割可能であり、前記分割支柱部材を連結することで支柱部材となる一対の連結支柱部材と、前記一対の連結支柱部材の上端部及び下端部にそれぞれ横架され、分割可能とされてなる一対の横架フレーム部材と、前記連結支柱部材の下端部に直交して着脱自在に設けられた台座部材と、前記一対の横架フレーム部材に着脱自在且つ摺動自在に掛け渡されるカーテン部材と、を含み、前記連結支柱部材が、連結される分割支柱部材の一方の端部に雌接合部、連結される分割支柱部材の他方の端部に径小とした雄接合部、を設け、前記雄接合部を雌接合部に挿入することにより前記連結支柱部材に重複部分を生じさせ、前記重複部分をストッパ部材で係止することで連結せしめられ、前記横架フレーム部材が、先端が開口された径大パイプとその開口部に一端が摺動可能に嵌入せしめられる径小パイプとから構成されてなり、前記径大パイプの開口部近傍内周面にパイプリングを取り付け、嵌入される前記径小パイプの一端部分を前記径小パイプの後端部分よりも径小な径小段部とし、前記径小段部の複数箇所にパイプスペーサーを設け、前記径大パイプに前記径小パイプの一端部を嵌入せしめてなることを特徴とする。
【０００９】
前記連結支柱部材及び横架フレーム部材は、スチールなどの金属製で構成することができる。なお、パイプスペーサー及びパイプリングはポリプロピレンなどの合成樹脂製が好適である。
【００１０】
このように横架フレーム部材を構成することで、径小パイプが径大パイプに摺動可能に嵌入せしめられるため、本考案の分解組立可能型パーティションの幅が可変となる。
【００１１】
前記カーテン部材は、布、紙、合成樹脂などで作製すればよい。
【００１２】
また、前記分割支柱部材の雌接合部及び雄接合部に螺子孔を設け、重複部分を螺子止めしてなるのが好ましい。
【００１３】
前記径大パイプの周面に螺子孔を設け、前記螺子孔に螺子止め部材を螺入せしめることで、前記径小パイプの妄動を防ぐようにしてなるのが好適である。
【００１４】
前記台座部材の下面に着脱自在に取り付けられたキャスター部材をさらに有するのが好ましい。キャスター部材がポリプロピレンなどの合成樹脂製であるのが好適である。
【考案の効果】
【００１５】
本考案によれば、幅が可変であり、簡単な構造で分解可能なため梱包サイズがコンパクトになり、組立が容易な分解組立可能型パーティションを提供することができるという著大な効果を奏する。
【図面の簡単な説明】
【００１６】
【図１】本考案の分解組立可能型パーティションを示す斜視分解図である。
【図２】横架フレーム部材の要部拡大図である。
【図３】台座部材の取り付け構造を示す要部拡大図である。
【図４】分割支柱部材の連結構造を示す要部拡大図である。
【図５】本考案の分解組立可能型パーティションを組み立てた状態を示す斜視図である。
【考案を実施するための形態】
【００１７】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１８】
図において、符号１０は本考案の分解組立可能型パーティションを示す。
【００１９】
分解組立可能型パーティション１０は、少なくとも二つ以上の分割支柱部材１２ａ，１２ｂ，１４ａ，１４ｂに分割可能であり、前記分割支柱部材１２ａ，１２ｂ，１４ａ，１４ｂを連結することで支柱部材となる一対の連結支柱部材１６，１８と、前記一対の連結支柱部材１６，１８の上端部及び下端部にそれぞれ横架され、分割可能とされてなる一対の横架フレーム部材２０，２２と、前記連結支柱部材１６，１８の下端部に直交して着脱自在に設けられた台座部材２４，２６と、前記一対の横架フレーム部材２０，２２に着脱自在且つ摺動自在に掛け渡されるカーテン部材２８と、を含む構成とされている。
【００２０】
図示例では、図１によく示されるように、連結支柱部材１６は二つの分割支柱部材１２ａ，１２ｂに分割可能とされており、連結支柱部材１８は二つの分割支柱部材１４ａ，１４ｂに分割可能とされている。図示例では、連結支柱部材を二つの分割支柱部材に分割する例を示したが、少なくとも二つの分割支柱部材に分割すればよいものであるから、それ以上の数に分割してもよい。
【００２１】
前記連結支柱部材１６，１８は、図１及び図２によく示される如く、連結される分割支柱部材１２ａ，１２ｂの一方（図示例では分割支柱部材１２ａ）の端部に雌接合部３０、連結される分割支柱部材１２ａ，１２ｂの他方（図示例では分割支柱部材１２ｂ）の端部に径小とした雄接合部３２（図示例ではコ字状チャンネル型差し込み）、が設けられており、前記雄接合部３２を雌接合部３０で包み込まれるように挿入することにより連結支柱部材１６に重複部分３６が生じ、前記重複部分３６をストッパ部材３４で係止することで連結せしめられる構成とされている。これにより、分割支柱部材１２ａ，１２ｂを連結した際の妄動が防止される。
【００２２】
図示例では、ストッパ部材３４として螺子を使用し、雌接合部３０及び雄接合部３２のそれぞれに螺子孔を設け、前記雄接合部３２を雌接合部３０に挿入することにより連結支柱部材１６に生じた重複部分３６を螺子止めする構成とした。なお、図示例では、連結支柱部材１６は角型の支柱を使用したが、丸型などの形状でもよい。
【００２３】
また、カーテン部材２８の上下の端部には、袋部３７ａ，３７ｂが設けられており、前記一対の横架フレーム部材２０，２２に外挿せしめることで、前記一対の横架フレーム部材２０，２２に着脱自在且つ摺動自在に掛け渡される。
【００２４】
前記横架フレーム部材２０，２２は、図１及び図３によく示される如く、先端が開口された径大パイプ３８とその開口部４０に一端が摺動可能に嵌入せしめられる径小パイプ４２とから構成されてなり、前記径大パイプ３８の開口部４０の近傍内周面に合成樹脂製のパイプリング４４が取り付けられ、嵌入される前記径小パイプ４２の一端部分４６を前記径小パイプ４２の後端部分４８よりも径小な径小段部５０とされており、前記径小段部５０の複数箇所に合成樹脂製のパイプスペーサー５２が設けられ、前記径大パイプ３８に前記径小パイプ４２の一端部４６を嵌入せしめるようにされている。このように構成することで、前記径小パイプ４２が前記径大パイプ３８から抜け落ちてしまうことを防止することができる。そして、このように横架フレーム部材２０，２２を構成することで、径小パイプ４２が径大パイプ３８に摺動可能に嵌入せしめられるため、本考案の分解組立可能型パーティション１０の幅が可変となる。
【００２５】
また、図３（ａ）の図示例では、前記径大パイプ３８の周面に螺子孔を設け、前記螺子孔に螺子部材５４を螺入せしめることで、前記径小パイプ４２の妄動を防ぐようにされている。
【００２６】
なお、前記横架フレーム部材２０，２２に螺子部材５４を取り付けない構成としてもよく、図３（ｂ）の図示例では、螺子止め部材５４を設けない場合の例を示した。
【００２７】
また、前記連結支柱部材１６，１８の下端部には、図１及び図４に示すように、台座部材２４，２６が直交して着脱自在に設けられる。図示の例では、前記連結支柱部材１６，１８の下端部に鍔部５６を設け、前記鍔部５６を介して螺子５８及びナット６０で台座部材２４，２６に取り付けられる例を示した。
【００２８】
そして、台座部材２４，２６の下面にキャスター部材６２を螺子止めすることで、着脱自在に取り付けられる。
【００２９】
このようにして、図５に示すような分解組立可能型パーティション１０となる。分解組立可能型パーティション１０は幅が可変であるし、簡単な構造で分解可能なため、梱包サイズがコンパクトになり、また組立も容易である。したがって、オフィス、家庭、病院や店舗など、場所を選ぶことなく設置可能である。
【符号の説明】
【００３０】
１０：分解組立可能型パーティション、１２ａ，１２ｂ，１４ａ，１４ｂ：分割支柱部材、１６，１８：連結支柱部材、２０，２２：横架フレーム部材、２４，２６：台座部材、２８：カーテン部材、３０：雌接合部、３２：雄接合部、３４：ストッパ部材、３６：重複部分、３７ａ，３７ｂ：袋部、３８：径大パイプ、４０：開口部、４２：径小パイプ、４４：開口部、４６：一端部分、４８：後端部分、５０：径小段部、５２：パイプスペーサー、５４：螺子止め部材、５６：鍔部、５８：螺子、６０：ナット、６２：キャスター部材。
【図１】
0003168150.tif 000003
【図２】
0003168150.tif 000004
【図３】
0003168150.tif 000005
【図４】
0003168150.tif 000006
【図５】
0003168150.tif 000007